(57)【要約】【課題】本発明はナースコールシステムに関し、ナースコールを確実にかつ速やかに対応することができるようにしたナースコールシステムを提供することを目的としている。【解決手段】ナースを呼び出すためのナースコール手段１０と、該ナースコール手段１０からの信号を集約するナースコール集約装置１１と、該ナースコール集約装置１１と接続され、ナースコールの制御を行なうサーバ１２と、該サーバ１２に接続されるカルテ情報、患者情報を記憶するデータベース１３と、前記サーバ１２に接続され、信号を無線で送受信するための無線通信装置１４と、各ナースに割り当てられ、前記無線通信装置１４と必要な情報を無線で送受信する携帯端末２０と、を含んで構成される。【選択図】      図１
2004173194.tif 000002
【特許請求の範囲】
【請求項１】
ナースを呼び出すためのナースコール手段と、
該ナースコール手段からの信号を集約するナースコール集約装置と、
該ナースコール集約装置と接続され、ナースコールの制御を行なうサーバと、
該サーバに接続されるカルテ情報、患者情報を記憶するデータベースと、
前記サーバに接続され、信号を無線で送受信するための無線通信装置と、
各ナースに割り当てられ、前記無線通信装置と必要な情報を無線で送受信する携帯端末と、
を含んで構成されるナースコールシステム。
【請求項２】
患者からのナースコールが発生した場合において、担当のナースが対応できない場合に、前記携帯端末同士の通信により他のナースに当該コールを転送するように構成したことを特徴とする請求項１記載のナースコールシステム。
【請求項３】
前記携帯端末からナースが対応できない場合、前記携帯端末からサーバに予め信号を送り、転送設定を行なうことを特徴とする請求項１記載のナースコールシステム。
【請求項４】
前記ナースコール手段に緊急度の判別ができる手段を設け、前記携帯端末のＬＥＤの色、呼び出し音、画面表示で区別できるように構成したことを特徴とする請求項１記載のナースコールシステム。
【請求項５】
前記ナースコールに対して、前記サーバは前記データベースから当該患者の情報を読み出し、ナースの携帯端末に患者の状態を画面表示するように構成したことを特徴とする請求項２記載のナースコールシステム。
【発明の詳細な説明】
【０００１】
【発明の属する技術分野】
本発明はナースコールシステムに関し、更に詳しくはナースコールを確実にかつ操作性よく行なうことができるようにしたナースコールシステムに関する。
【０００２】
【従来の技術】
病院における従来のナースコールシステムは、患者のベッドわきに設けられているナースコールボタンを押すと、それがナースステーションに伝わり、ナースが患者の要求を受け付けるというシステムであった。
【０００３】
近年、患者とナースとの通信も、コンピュータシステムの発達により、上記したような単純なナースコールシステムではなく、高度のものが採用されるようになってきている。
【０００４】
この種のシステムとしては、ナースに自分の受け持ちの患者からの呼び出しを呼び出し音で判別させ、呼び出し検出時の煩雑さを解消したシステムがある（例えば特許文献１参照）。また、患者所持移動局と看護者所持移動局を中継局を介して接続するシステムにおいて、患者所持移動局からの発呼情報を受信した時には、管理テーブルに基づいて、発呼先となる看護者所持移動局を決定するようにしたシステムがある（例えば特許文献２参照）。また、特定の呼び出しエリア内の看護婦に対してのみナースコール呼び出しが行なえるようにしたシステムがある（例えば特許文献３参照）。
【０００５】
図１３は従来のナースコールシステムの説明図である。図において、１はナース３が常駐するナースステーション、２はナースステーション１内に設けられたナースコール装置である。４は患者が入っている病室、５は該病室４の各患者毎に設置されているナースコールボタンである。
【０００６】
このように構成されたシステムにおいて、患者がナースコールボタン５を押すと、その信号はナースステーション１内のナースコール装置２に通知され、該ナースコール装置２は鳴動することにより、ナース３にナースコールがあることを知らせる。ナースステーション１にいないナースにはこのナースコールは伝わらない。ナース３は、そのナースコールが押された部屋と患者をナースコール装置２に表示されているランプから認識し、その患者の所へかけつける。
【０００７】
【特許文献１】
特開２０００−２２４３２０号公報（第４、第５頁、図１）
【特許文献２】
特開２００１−２３７９５９号公報（第４頁、第５頁、図１）
【特許文献３】
特開２００１−２３０８６７号公報（第５頁、第６頁、図１）
【０００８】
【発明が解決しようとする課題】
従来のナースコールシステムは、以下に示すような問題があった。
▲１▼ナースコールの機能が呼び出しだけであったため、緊急かどうかが分かりにくい。
▲２▼患者からのナースコールの呼び出し時、従来はナースステーションにいるナースしか呼び出しに応じることができない。
▲３▼緊急の対応のため、ナースステーションには、常にナースが待機している必要がある。
▲４▼場合によっては、患者がナースを呼び出してから待たされることも多い。
▲５▼例えば、女性患者なら女性ナース、男性患者なら男性ナース、子供の患者なら子供がなついているナース等のリクエスト機能がないため、場合によっては患者が不快な思いをすることがある。
▲６▼業務の引き継ぎの際に、引き継ぎ事項の言い忘れや聞き漏らし等の人的ミスが起こる可能性がある。
【０００９】
本発明はこのような課題に鑑みてなされたものであって、ナースコールを確実にかつ速やかに対応することができるようにしたナースコールシステムを提供することを目的としている。
【００１０】
【課題を解決するための手段】
（１）図１は本発明の原理ブロック図である。図において、１０はナースを呼び出すための少なくとも１つは設けられているナースコール手段である。該ナースコール手段１０は、図１３のナースコールボタン５に対応するものであり、複数のボタンと表示部からなる双方向性の信号送受信装置である。複数のボタンは、患者の用件毎に設けられているものであり、表示部はナースからの通知情報を表示するためのものである。
【００１１】
１１はこれらナースコール手段１０からの信号を集約するナースコール集約装置、１２は該ナースコール集約装置１１と接続され、ナースコールの制御を行なうサーバ、１３は該サーバ１２に接続されるカルテ情報、患者情報を記憶するデータベースである。１４は前記サーバ１２に接続され、信号を無線で送受信するための無線通信装置である。
【００１２】
２０は各ナースに１台ずつ割り当てられ、前記無線通信装置１４と必要な情報を無線で送受信する携帯端末である。該携帯端末は、表示部と操作部より構成されており、必要な情報を送信すると共に、サーバ１２からの情報を受信して表示部に表示する。
【００１３】
このように構成すれば、ナースコール手段１０からの要求に対して、サーバ１２がデータベース１３を参照して、予め担当するナースに必要な情報を通知することができる。本発明によれば、ナースがナースステーションに在室していない場合にも情報を通知できるので、確実にナースコールを行なうことができる。また、患者に関する病状も一緒に表示できるので、速やかな対応をとることができる。
（２）請求項２記載の発明は、患者からのナースコールが発生した場合に、担当のナースが対応できない場合に、前記携帯端末同士の通信により他のナースに当該コールを転送するように構成したことを特徴とする。
【００１４】
このように構成すれば、担当のナースが対応できない場合でもデータ転送により他のナースが対応することができる。
（３）請求項３記載の発明は、前記携帯端末からナースが対応できない場合、前記携帯端末からサーバに予め信号を送り、転送設定を行なうことを特徴とする。
【００１５】
このように構成すれば、当該携帯端末にナースコールがかかってきた場合でも、他の端末に転送することが可能となる。
（４）請求項４記載の発明は、前記ナースコール手段に緊急度の判別ができる手段を設け、前記携帯端末のＬＥＤの色、呼び出し音、画面表示で区別できるように構成したことを特徴とする。
【００１６】
このように構成すれば、ナースコール手段からの通知される患者情報の緊急度に応じてＬＥＤの色、呼び出し音、携帯端末の画面表示で患者情報の緊急度をナースが認識することができる。
（５）請求項５記載の発明は、前記ナースコールに対して、前記サーバは前記データベースから当該患者の情報を読み出し、ナースの携帯端末に患者の状態を画面表示するように構成したことを特徴とする。
【００１７】
このように構成すれば、代理のナースが対応する場合にも、患者の情報を認識することができる。
【００１８】
また、この発明において、前記ナースコール手段に付属のボタンの種類や押下する回数で患者の状態が通知できるように構成したことを特徴とする。
【００１９】
このように構成すれば、携帯端末に患者の状態が表示されるので、ナースが患者の状態を把握することができる。
【００２０】
また、この発明において、前記ナースコール手段にリクエスト機能を設け、特定のナースを呼び出せるように構成したことを特徴とする。
【００２１】
このように構成すれば、特定のナースを呼び出すことが可能となる。
【００２２】
また、この発明において、リクエスト対象のナースが対応できない時、その旨を前記無線通信装置を介して前記ナースコール手段の表示部に表示することができるように構成したことを特徴とする。
【００２３】
このように構成すれば、患者に対して対応できない旨をナースコール手段に表示するので、患者は納得することができる。
【００２４】
また、この発明において、前記携帯端末相互の通信により、ナース同士の引き継ぎ業務をデータ渡しできるように構成したことを特徴とする。
【００２５】
このように構成すれば、引き継ぎの時の言い忘れ、聞き漏らし等がなくなる。
【００２６】
【発明の実施の形態】
以下、図面を参照して本発明の実施の形態例を詳細に説明する。
【００２７】
図２は本発明の一実施の形態例を示すブロック図である。図１と同一のものは、同一の符号を付して示す。図に示す構成は、図１に示す構成と比較してより具体的に示したものであり、ナースコール集約装置１１とサーバ１２との間にインタフェース２５を設けたものである。該インタフェース２５は、ナースコール集約装置１１からの信号をサーバ１２に適合するように変換すると共に、サーバ１２からの信号をナースコール集約装置１１に適合するように変換する。
【００２８】
ナースコール手段１０には、用件毎にボタンが並んでおり、患者はこの複数のボタンを用件に応じて押すようになっている。ナースコール手段１０は、双方向性のデータ処理装置であり、サーバ１２に向けてデータを送信すると共に、サーバ１２からのデータを受信して表示部に表示する。該ナースコール手段１０から送信されるデータは、ベッドＮＯ．等である。
【００２９】
インタフェース２５からサーバ１２へは、ＬＡＮや、ＲＳ２３２Ｃシリアル信号、ＵＳＢ、赤外線等が用いられる。ここで用いられる電文は、ＬＡＮ／ＲＳ２３２Ｃ／ＵＳＢ／シリアルケーブル／赤外線を介して転送される。その内容は、ベッドＮＯ．、患者ＩＤ、時刻、チェックディジット等である。一方、無線通信装置１４と携帯端末２０間を接続する信号線は、無線ＬＡＮ、ＰＨＳ、赤外線等である。
【００３０】
図３は携帯端末２０の表示部の説明図である。呼び出し画面時の表示は、ベッドＮＯ．／患者氏名等に加えて、用件に応じた音又は色の表示がなされる。例えば、用件１の場合は１段階音であり、用件２の場合は２段階音である。
【００３１】
この呼び出し画面に対してナースが応答すると、画面は応答後画面に切り替わる。応答後画面では、患者に関する情報（カルテ情報等）が表示される（詳細後述）。
【００３２】
図４は本発明の第１の動作説明図である。図１、図１３と同一のものは、同一の符号を付して示す。図において、３はナース、４は病室、１０は患者のそばに設置されたナースコール手段、１２はシステム全体の動作を制御するサーバ、１３は該サーバ１２に接続され、カルテ情報、患者情報が記憶されたデータベースである。
【００３３】
ここで、ナースコール手段１０は、図１３に示すナースコールボタン５と同様の機能を持つものであり、内部にＣＰＵを搭載し、かつ双方向の通信が可能になっている点で異なる（詳細後述）。このように構成されたシステムの動作を説明すれば、以下の通りである。
【００３４】
図４に示すシステムは、リクエスト機能のみを用いた基本的なパターンの説明図である。ナースコール手段１０から患者がリクエストを要求すると、このリクエストはサーバ１２に通知される。該サーバ１２は、ナースコール手段１０から上がってきたリクエスト信号を受けると、どの患者からのリクエスト信号であるかを認識し、その認識した患者ＩＤでデータベース１３を検索し、患者情報、カルテ情報を読み出してくる。データベース１３には、当該患者の担当ナース氏名も記憶されている。
【００３５】
このようにして読み出した情報は、該当ナースの携帯端末２０の表示部に表示される。ここで、該当携帯端末２０に着信するに際して、該当携帯端末２０を鳴動させるようにすることができる。このようにすれば、ナース３はナースコールがあったことを認識するので、携帯端末２０の表示を見る。携帯端末２０の表示部には、患者のカルテ情報が表示されるので、速やかな対応をとることができる。
【００３６】
この実施の形態例によれば、ナースコール手段１０に対してリクエスト機能を設け、特定のナースを呼び出せるようにすることができる。
【００３７】
この実施の形態例によれば、ナースコール手段１０からの要求に対して、サーバ１２がデータベース１３を参照して、予め担当するナースコールに必要な情報を通知することができるので、確実にナースコールを行なうことができる。従って、この実施の形態例によれば、患者に関する情報も一緒に表示できるので、速やかな対応をとることができる。
【００３８】
図５は本発明の第２の動作説明図である。図４と同一のものは、同一の符号を付して示す。この実施の形態例は、該当ナースが不在である場合にナースコールをした時の動作を示している。この場合、当該ナース３は、予めサーバ１２に対して、対応できないことを登録しておく。
【００３９】
ここで、患者からナースコール手段１０により該当ナースに対してリクエストを要求したものとする（▲１▼）。サーバ１２はこのリクエストを受けると、該当ナースコール手段１０にリクエストされたナースが対応できないことをメッセージで通知する（▲２▼）。このメッセージは、該当ナースコール手段１０の表示部に表示される。患者は、この表示を見て、当該ナースが対応できない旨を認識し、患者は納得することができる。そして、他のナースに対してリクエストを要求する。
【００４０】
サーバ１２は、このリクエストを受けると、他のナースの携帯端末２０に対して着信させる。この場合において、サーバ１２はデータベース１３を検索して、該当患者に対する患者情報、カルテ情報を読み出し、携帯端末２０に転送する。この結果、本来の担当以外の患者でも、携帯端末２０に表示されるカルテデータで患者の状態が分かるので、代理でも病室に向かい、病室で対応することができる。
【００４１】
このように構成すれば、代理のナースが対応する場合にも、患者の情報を認識することができる。
【００４２】
図６は本発明の第３の動作説明図である。図４と同一のものは、同一の符号を付して示す。この実施の形態例では、該当ナースは、携帯端末２０からサーバ１２に対してナース不在又は取り込み中である旨、及び代わりの転送先の端末番号を転送設定しておく。
【００４３】
ここで、患者からナースコール手段１０により該当ナースに対してリクエストを要求したものとする（▲１▼）。サーバ１２はこのリクエスト要求を受けると、該当ナースが都合が悪い旨と、代わりのナースの携帯端末番号が予め登録されていることを認識すると、その転送先にリクエストを転送する（▲２▼）。
【００４４】
リクエストを受けたナースは、携帯端末２０の表示を見て、該当患者のカルテ情報を認識して、病室に向かう。このようにすれば、当該携帯端末にナースコールがかかってきた場合でも、他の端末に転送することができる。従って、担当のナースが対応できない場合でも他のナースが対応することができる。
【００４５】
ここで、該当ナースも手が離せない場合、そのナースもサーバ１２に対して対応できない旨を登録しておく。そこで、サーバ１２は最初のナースからのナースコールが転送されてきたナースも対応できないことを認識し、更に３番目のナースにナースコールを転送する（▲３▼）。ナースコールを受けたナースは、携帯端末２０の表示部の患者のカルテ情報から患者の状態を認識し、病室へ向かい、患者に対して対応する。
【００４６】
図７は本発明の第４の動作説明図である。図４と同一のものは、同一の符号を付して示す。図に示すシステムは、緊急ナースコール時の動作を示している。ここでは簡単のために、ナースＡ〜ナースＤがいるものとする。緊急時の場合には、全ての携帯端末２０がナースコールを受信するようになっている。即ち、ナースコール手段１０から緊急呼出要求が発信されると、サーバ１２はこのナースコールが緊急のものであることを認識し、全ての携帯端末２０に要求を転送する（▲１▼）。
【００４７】
ここで、ナースＡが対応する旨をサーバ１２に対して応答すると（▲２▼）、サーバ１２はこのことを認識し、残りのナースに対しては、ナースＡが対応した旨を通知する（▲３▼）。ナースＡは、携帯端末２０の表示を見て患者の病状を認識し、病室に向かい対処する（▲４▼）。
【００４８】
図８は携帯端末２０の外観構成図である。図において、３０は各種情報を表示する表示部、３１はカーソルキー、３２はテンキー、３３は制御キー、３４はＬＥＤである。ナースは、この携帯端末を常に携帯しており、サーバとの間で情報のやりとりを行なう。
【００４９】
図９は携帯端末の構成例を示すブロック図である。図８と同一のものは、同一の符号を付して示す。図において、３０は各種情報を表示する表示部、３４は全体の動作を制御するＣＰＵ、３５は情報を記憶するメモリ、３６は操作部、３７はサーバ１２との間で無線で通信を行なうための無線通信部である。３８は、これら構成要素間を接続するバスである。図８のカーソルキー３１、テンキー３２、制御キー３３で図８の操作部３６を構成する。
【００５０】
このように構成された装置において、患者からナースコールがあると、該当する携帯端末２０の表示部３０には、図３に示す呼び出し画面が表示される。ここで、ナースが操作部３６を操作すると、図３に示すような患者に関する情報が表示される。
【００５１】
ここで、患者の状態を識別するため、表示部３０には、▲１▼担当の患者からの呼び出し音と、画面と、ＬＥＤの色、▲２▼担当外の患者からの呼び出し音と、画面と、ＬＥＤの色、▲３▼一番近くにいる患者からの呼び出し音と、画面と、ＬＥＤの色、▲４▼スタッフ内での呼び出し音と、画面と、ＬＥＤの色、▲５▼病室以外（例えばトイレ等）からの呼び出し音と、画面と、ＬＥＤの色等により状態を識別することができるようになっている。
【００５２】
このようにすれば、ナースコール手段１０からの通知される患者情報の緊急度に応じてＬＥＤの色、呼び出し音、携帯端末の画面表示で患者情報の緊急度をナースが認識することができる。
【００５３】
図１０はナースコール手段１０の外観構成図である。図において、４０は各種の情報を表示する表示部、４１は緊急時用ボタン、４２は点滴終了時のコールボタン、４３はリクエストボタン、４４はトイレに入っている時に使用するコールボタン、４５はその他のボタンである。緊急時用ボタン４１はその大きさが一番大きい。この緊急時用ボタン４１は、患者が特に緊急の病状に陥った時に押すものである。
【００５４】
リクエストボタン４３は、担当ナースの呼び出しに用いるボタンである。表示部４０には、患者がナースコールを行なった場合に、担当ナースが手が離せないか、不在の時に、「ただいま、担当ナースは都合で出られません。」というような表示がなされる。
【００５５】
図１１はナースコール手段の構成例を示すブロック図である。図１０と同一のものは、同一の符号を付して示す。図において、４６は全体の動作を制御するＣＰＵ、４７は押しボタン、４８は該押しボタンによる信号をエンコードするエンコーダである。押しボタン４７は、図１０に示すような各種の押しボタンである。４９は各種の情報を記憶するメモリ、５０はこれら構成要素間を接続するバスである。
【００５６】
このように構成された装置において、患者は必要な押しボタン４７を押して要求をナースコールする。この押しボタン信号は、エンコーダ４８によりエンコードされた後、ナースコール集約装置１１を介してサーバ１２に通知される。該サーバ１２は、この患者からの要求を受けると、データベース１３を参照して、携帯端末２０に必要な情報を無線通信装置１４から送信する。或いはまた、携帯端末２０からの情報がサーバ１２、ナースコール集約装置１１を介して該当のナースコール手段１０の表示部４０に表示される。
【００５７】
図１２は本発明の動作フローを示す図であり、携帯端末２０の表示部３０の表示の推移を示している。表示部３０の表示面積が狭いので、このように、分割して表示されることになる。ナースがカーソルキー３１（図８参照）を押すことにより、画面表示は図に示すように切り替わることになる。
【００５８】
患者からのナースコールがあると（▲１▼）、先ず患者情報が表示される（画面▲２▼）。この患者情報は、病室、ベッドＮＯ．、氏名、年齢、病名、手術日、入院開始日、担当医、その他である。ここで、カーソルキー３１を押すと、画面は▲３▼に切り替わる。画面▲３▼は、投薬情報であり、投薬についての情報が画面に表示される。例えば、現在投薬中がルルであり、点滴はブドウ糖である。ここで、ナースがカーソルキー３１を押すと画面は▲４▼に切り替わる。
【００５９】
画面▲４▼は食事情報であり、食事についての情報が画面に表示される。例えば、朝食はお粥、昼食は雑炊、夕食は玄米であり、その総摂取カロリー数も表示される。ここで、ナースがカーソルキー３１を押すと画面は▲５▼に切り替わる。画面▲５▼は１日の体調が画面に表示されるようになっている。例えば、体温や、脈拍、血圧等が表示される。ここで、ナースがカーソルキー３１を押すと画面は▲６▼に切り替わる。
【００６０】
画面▲６▼は入院開始からの▲５▼の推移がグラフ画面に表示される。図の場合は、体温が表示されている例を示す。横軸は時間、縦軸は体温である。
【００６１】
本発明によれば、前記携帯端末相互の通信により、ナース同士の引き継ぎ業務をデータ渡しできるようにすることができる。これにより、引き継ぎ時の言い忘れ、聞き漏らし等がなくなる。
【００６２】
（付記１）  ナースを呼び出すためのナースコール手段と、
該ナースコール手段からの信号を集約するナースコール集約装置と、
該ナースコール集約装置と接続され、ナースコールの制御を行なうサーバと、
該サーバに接続されるカルテ情報、患者情報を記憶するデータベースと、
前記サーバに接続され、信号を無線で送受信するための無線通信装置と、
各ナースに割り当てられ、前記無線通信装置と必要な情報を無線で送受信する携帯端末と、
を含んで構成されるナースコールシステム。
【００６３】
（付記２）  患者からのナースコールが発生した場合において、担当のナースが対応できない場合に、前記携帯端末同士の通信により他のナースに当該コールを転送するように構成したことを特徴とする付記１記載のナースコールシステム。
【００６４】
（付記３）  前記携帯端末からナースが対応できない場合、前記携帯端末からサーバに予め信号を送り、転送設定を行なうことを特徴とする付記１記載のナースコールシステム。
【００６５】
（付記４）  前記ナースコール手段に緊急度の判別ができる手段を設け、前記携帯端末のＬＥＤの色、呼び出し音、画面表示で区別できるように構成したことを特徴とする付記１記載のナースコールシステム。
【００６６】
（付記５）  前記ナースコールに対して、前記サーバは前記データベースから当該患者の情報を読み出し、ナースの携帯端末に患者の状態を画面表示するように構成したことを特徴とする付記２記載のナースコールシステム。
【００６７】
（付記６）  前記ナースコール手段に付属のボタンの種類や押下する回数で患者の状態が通知できるように構成したことを特徴とする付記１記載のナースコールシステム。
【００６８】
（付記７）  前記ナースコール手段にリクエスト機能を設け、特定のナースを呼び出せるように構成したことを特徴とする付記１記載のナースコールシステム。
【００６９】
（付記８）  リクエスト対象のナースが対応できない時、その旨を前記無線通信装置を介して前記ナースコール手段の表示部に表示することができるように構成したことを特徴とする付記１記載のナースコールシステム。
【００７０】
（付記９）  前記携帯端末相互の通信により、ナース同士の引き継ぎ業務をデータ渡しできるように構成したことを特徴とする付記１記載のナースコールシステム。
【００７１】
【発明の効果】
以上説明したように、本発明によれば、以下のような効果が得られる。
（１）請求項１記載の発明によれば、ナースコール手段からの要求に対して、サーバがデータベースを参照して、予め担当するナースに必要な情報を通知することができる。本発明によれば、ナースがナースステーションに在室していない場合にも情報を通知できるので、確実にナースコールを行なうことができる。また、患者に関する病状も一緒に表示できるので、速やかな対応をとることができる。
（２）請求項２記載の発明によれば、担当のナースが対応できない場合でもデータ転送により他のナースが対応することができる。
（３）請求項３記載の発明によれば、当該携帯端末にナースコールがかかってきた場合でも、他の端末に転送することが可能となる。
（４）請求項４記載の発明によれば、ナースコール手段からの通知される患者情報の緊急度に応じてＬＥＤの色、呼び出し音、携帯端末の画面表示で患者情報の緊急度をナースが認識することができる。
（５）請求項５記載の発明によれば、代理のナースが対応する場合にも、患者の情報を認識することができる。
【００７２】
このように、本発明によれば、ナースコールを確実にかつ速やかに対応することができるようにしたナースコールシステムを提供することができる。
【図面の簡単な説明】
【図１】本発明の原理ブロック図である。
【図２】本発明の一実施の形態例を示すブロック図である。
【図３】携帯端末の表示部の説明図である。
【図４】本発明の第１の動作説明図である。
【図５】本発明の第２の動作説明図である。
【図６】本発明の第３の動作説明図である。
【図７】本発明の第４の動作説明図である。
【図８】携帯端末の外観構成図である。
【図９】携帯端末の構成例を示すブロック図である。
【図１０】ナースコール手段の外観構成図である。
【図１１】ナースコール手段の構成例を示すブロック図である。
【図１２】本発明の動作フローを示す図である。
【図１３】従来のナースコールシステムの説明図である。
【符号の説明】
１０  ナースコール手段
１１  ナースコール集約手段
１２  サーバ
１３  データベース
１４  無線通信装置
２０  携帯端末
【図１】
2004173194.tif 000003
【図２】
2004173194.tif 000004
【図３】
2004173194.tif 000005
【図４】
2004173194.tif 000006
【図５】
2004173194.tif 000007
【図６】
2004173194.tif 000008
【図７】
2004173194.tif 000009
【図８】
2004173194.tif 000010
【図９】
2004173194.tif 000011
【図１０】
2004173194.tif 000012
【図１１】
2004173194.tif 000013
【図１２】
2004173194.tif 000014
【図１３】
2004173194.tif 000015